(57)【特許請求の範囲】
【請求項１】
読み取り資料を載置するステージと、前記読み取り資料を撮像する撮像手段と、該撮像手段が撮像した画像を拡大表示する画像表示手段とからなり、前記ステージを前記画像表示手段の画像表示面の手前に略水平に配置するとともに、該ステージの上方に前記撮像手段を配置して一体型ボデーに組み込み、さらに該ステージの左右両側に半透明のパーティーションを立設したことを特徴とする拡大読書器。
【請求項２】
前記ステージの上方に一枚のミラーを配置し、該ミラーに写る画像を前記撮像手段で撮像するとともに、該撮像手段が撮像した画像を反転させる画像反転手段を介して前記画像表示手段に正立画像を拡大表示させることを特徴とする請求項１に記載の拡大読書器。
【請求項３】
前記一体型ボデーに人体検知センサを配置し、該人体検知センサの検知信号に基づいて、少なくとも画像表示手段の電源をオン・オフすることを特徴とする請求項１又は請求項２に記載の拡大読書器。
【請求項４】
前記一体型ボデーに人体検知センサを配置し、該人体検知センサの検知信号に基づいて、使用方法を説明する音声信号を発生するようにしたことを特徴とする請求項１乃至請求項３の何れかに記載の拡大読書器。
【請求項５】
前記一体型ボデーに赤外線センサを配置し、赤外線リモートコントローラにより操作可能としたことを特徴とする請求項１乃至請求項４の何れかに記載の拡大読書器。
【請求項６】
前記ステージ上に読み取り資料の載置位置を示す表示、若しくは前記ステージ上に撮像中心を照射するＬＥＤポインタの何れか一方若しくは両方を設けたことを特徴とする請求項１乃至請求項５の何れかに記載の拡大読書器。
【発明の詳細な説明】
【０００１】
【産業上の利用分野】
本発明は、特に読み取り資料の拡大表示画面を見ながら、該読み取り資料中に所定事項を記入するのに便利な拡大読書器に関するものである。
【０００２】
【従来の技術】
従来の拡大読書器や拡大表示可能な資料提示装置は、読み取り資料を載置するステージと拡大表示するテレビモニタとが、上下若しくは左右に離れて配置されていた。
【０００３】
【発明が解決しようとする課題】
このため、特に読み取り資料の拡大表示画像を見ながら、該読み取り資料中に所定事項を記入する場合には、視線移動が大きくなるばかりでなく、焦点移動も大きくなり不便であった。また、テレビモニタに拡大表示される内容は、自由に見ることができてしまうため、公共の場所で個人的な内容を拡大表示しなければならない場合は、使用がためらわれる。さらに、ステージとテレビモニタが別体であったり、２枚のミラーを使用して正立画像を形成していたため、全体の構成が大型化する等の問題点があった。
本発明は、上記した問題点を解決するためになされたものであり、読み取り資料の拡大表示画像を見ながら、該読み取り資料中に所定事項を記入するのに便利な拡大読書器を提供することを目的とするものである。
【０００４】
【課題を解決するための手段】
上記目的を達成するため請求項１に記載の本発明の拡大読書器は、読み取り資料を載置するステージと、前記読み取り資料を撮像する撮像手段と、該撮像手段が撮像した画像を拡大表示する画像表示手段とからなり、前記ステージを前記画像表示手段の画像表示面の手前に略水平に配置するとともに、該ステージの上方に前記撮像手段を配置して一体型ボデーに組み込み、さらに該ステージの左右両側に半透明のパーティーションを立設したことを特徴とする。
【０００５】
請求項２に記載の本発明の拡大読書器は、請求項１に記載の構成において、前記ステージの上方に一枚のミラーを配置し、該ミラーに写る画像を前記撮像手段で撮像するとともに、該撮像手段が撮像した画像を反転させる画像反転手段を介して前記画像表示手段に正立画像を拡大表示させることを特徴とする。
【０００６】
請求項３に記載の本発明の拡大読書器は、請求項１又は請求項２に記載の構成において、前記一体型ボデーに人体検知センサを配置し、該人体検知センサの検知信号に基づいて、少なくとも画像表示手段の電源をオン・オフすることを特徴とする。
【０００７】
請求項４に記載の本発明の拡大読書器は、請求項１乃至請求項３の何れかに記載の構成において、前記一体型ボデーに人体検知センサを配置し、該人体検知センサの検知信号に基づいて、使用方法を説明する音声信号を発生するようにしたことを特徴とする。
【０００８】
請求項５に記載の本発明の拡大読書器は、請求項１乃至請求項４の何れかに記載の構成において、前記一体型ボデーに赤外線センサを配置し、赤外線リモートコントローラにより操作可能としたことを特徴とする。
【０００９】
請求項６に記載の本発明の拡大読書器は、請求項１乃至請求項５の何れかに記載の構成において、前記ステージ上に読み取り資料の載置位置を示す表示、若しくは前記ステージ上に撮像中心を照射するＬＥＤポインタの何れか一方若しくは両方を設けたことを特徴とする。
【００１０】
【作用及び発明の効果】
請求項１記載の本発明の拡大読書器によれば、ステージと、該ステージの上方に配設する撮像手段と、画像表示手段とを一体型ボデーに組み込んだから、全体の構成がコンパクトとなり小型化できる。そして、ステージを前記画像表示手段の画像表示面の手前に略水平に配置したから、読み取り資料の拡大表示画像を見ながら、該読み取り資料中に所定事項を記入する際の視線や焦点移動が少なくてすみ使い勝手を向上させることができる。また、該ステージの左右両側に半透明のパーティーションを立設したから、該パーティーションに遮られて他人が画像表示面をみることができなくなり、公共の場所で使用しても個人的な内容を読み取られる虞れがない。さらに、半透明のパーティーションを通して採光できるから、ステージ上を照明する照明手段を別途設ける必要がない等の効果を有する。
【００１１】
請求項２に記載の本発明の拡大読書器によれば、ステージの上方に配置した一枚のミラーに写る画像を前記撮像手段で撮像するとともに、該撮像手段が撮像した画像を反転させる画像反転手段を介して画像表示手段に正立画像を拡大表示する。従って、２枚のミラーを用いて正立画像を形成する必要がなく、調整も簡単になるとともに一層の小型化を図ることができ、コスト低減に寄与できる。
【００１２】
請求項３に記載の本発明の拡大読書器によれば、一体型ボデーに配置した人体検知センサの検知信号に基づいて、少なくとも画像表示手段の電源をオン・オフする。従って、不使用時には画像表示手段の電源をオフでき省エネを実現できる。
【００１３】
請求項４に記載の本発明の拡大読書器によれば、一体型ボデーに配置した人体検知センサの検知信号に基づいて、使用方法を説明する音声信号が発生する。従って、使用者のうち特に初心者にとって使い勝手が良くなる。
【００１４】
請求項５に記載の本発明の拡大読書器によれば、一体型ボデーに赤外線センサを配置し、赤外線リモートコントローラにより操作可能としたから、離れた場所から該拡大読書器を操作したり、初期状態に設定できる等使い勝手が向上する。
【００１５】
請求項６に記載の本発明の拡大読書器によれば、ステージ上に読み取り資料の載置位置を示す表示、若しくはステージ上に撮像中心を照射するＬＥＤポインタの何れか一方若しくは両方を設けたから、ステージ上に読み取り資料の載置位置の表示や、ＬＥＤポインタにより撮像中心が示されたりすることの何れか一方若しくは両方が行われるから、確実に撮像手段により撮像して拡大表示することができる。
【００１６】
【発明の実施の形態】
本発明の実施形態を添付図面を参照して説明する。図１は拡大読書器１の斜視図、図２は同、一部切欠側面図である。拡大読書器１の一体型ボデー２は、水平基台３の後端から立設する背面壁４と、該背面壁４の左右両端から手前側に回り込む側壁５，５及び背面壁４の上端から手前に水平に突出するカメラ筺体部６とから構成されている。水平基台３の左右両側には、半透明の樹脂板等から形成されたパーティーション７，７が立設され、側壁５，５から手前側の側部を囲っている。
【００１７】
上記水平基台３の中央部は、読み取り資料を載置するステージ８として使用される。カメラ筺体部６の下面には、撮像孔９が形成され、該撮像孔９に対応してミラー１０が配設されている。そして、該ミラー１０に対向してテレビカメラ１１が水平姿勢で配設されている。また、カメラ筺体部６内には、撮像中心をステージ８上に照射するＬＥＤポインタ１２が配設されている。液晶モニタ１３は、一体型ボデー２の背面壁４に沿って、上端をやや後方に倒した斜め姿勢で配設されている。また、カメラ筺体部６内には、制御回路１４が組み込まれている。該制御回路１４は、テレビカメラ１１で撮像した画像信号を処理したり出力させたりする各種画像処理回路や、使用方法を音声で説明するためのボイスレコーダ（図示せず）等を備えている。
【００１８】
カメラ筺体部６の前面には、ズームつまみ１５が配置され、該ズームつまみ１５と同心にフォーカスボタン１６が設けられている。また、ズームつまみ１５の左右両側に人体を検知する人体検知センサ１７と、赤外線リモートコントロール用の赤外線センサ１８が配置されている。そして、ステージ８上には、読み取り資料の載置位置を示すマーク１９がシルク印刷により形成されている。人体検知センサ１７の検知信号が出力中は、制御回路１４によりボイスレコーダを作動させて使用方法を音声で説明したり、ＬＥＤポインタ１２や液晶モニタ１３等の電源をオンして使用可能とし、使用後使用者が立ち去って検知信号が断たれると、ボイスレコーダをリセットしたり、バックアップ電源や主電源以外の電源をオフして省エネを図る。赤外線センサ１８が受光する赤外線リモートコントローラ２０の信号に基づいて、ズームつまみ１５やフォーカスボタン１６を遠隔操作したり、制御回路１４に対する設定値を初期状態に設定することが可能になる。人体検知センサ１７としては、赤外線センサ若しくは超音波センサを用いることができる。
【００１９】
上記構成の拡大読書器１は、使用者が近づくと人体検知センサ１７の検知信号が出力され、液晶モニタ１３の電源がオンされる。そして、ステージ８のマーク１９やＬＥＤポインタ１２の照射に合わせて読み取り資料を載置すると、読み取り資料はミラー１０に写り、テレビカメラ１１により撮像される。この撮像画像は、テレビカメラ１１の画像処理部（図示しない）により反転処理して、正立画像を液晶モニタ１３の画像表示面１３ａに表示する。上記反転処理は、テレビカメラ１１で行わないで、液晶モニタ１３のスキャンコンバータ（図示しない）により反転処理することもできる。そして、表示された画像を見ながらズームつまみ１５やフォーカスボタン１６を調整して、拡大倍率を調整したりピントを合わせる。
【００２０】
上記した拡大読書器１は、一体型ボデー２にステージ８、ミラー１０、テレビカメラ１１及び液晶モニタ１３を組み込んだから、全体の構成がコンパクトとなり小型化できる。そして、ステージ８を液晶モニタ１３の画像表示面１３ａの手前に水平に配置したから、読み取り資料の拡大表示画像を見ながら、該読み取り資料中に所定事項を記入する場合は、視線移動や焦点移動が少なくてすみ、使い勝手が向上する。また、該ステージ８の左右両側に半透明のパーティーション７，７を立設したから、該パーティーション７，７に遮られて他人が液晶モニタ１３の画像表示面１３ａをみることができなくなり、公共の場所で使用しても個人的な内容を読み取られる虞れがない。さらに、半透明のパーティーション７，７を通して採光できるとともに、液晶モニタ１３の画像表示面１３ａからの光によりステージ８が照らされるから、ステージ８上を照明する照明手段を別途設ける必要がない。
【００２１】
また、カメラ筺体部６に配置した一枚のミラー１０を、テレビカメラ１１で撮像して得た画像を反転させて、液晶モニタ１３の画像表示面１３ａに拡大表示させるようにしたから、２枚のミラーを用いて正立画像を形成する必要がなく、調整も簡単になるとともに一層の小型化を図ってコスト低減に寄与できる。さらに、人体検知センサ１７の検知信号に基づいて、音声で使用方法を説明するようにしたから、特に初心者にとって使い勝手が良くなる。また、人体検知センサ１７の検知信号により、バックアップ電源や主電源以外のＬＥＤポインタ１２や液晶モニタ１３等の電源をオン・オフするようにしたから、不使用時不必要な機器の電源をオフでき省エネを実現できる。そして、赤外線センサ１８が受光する赤外線リモートコントローラ２０の信号により、遠隔操作が可能になる。
【００２２】
ステージ８上にＬＥＤポインタ１２により撮像中心が照射されるとともに、読み取り資料の載置位置を表示するマーク１９が形成されているから、読み取り資料を確実にテレビカメラ１１で撮像できる位置に載置できる。従って、拡大表示される液晶モニタ１３の画像表示面１３ａを見ながら読み取りや記入等が簡単に行える。上記マーク１９による読み取り資料の載置位置の表示とＬＥＤポインタ１２の照射による撮像中心の表示は、必ずしも両方設ける必要はなく、何れか一方を設けるだけでもよい。
尚、ＬＥＤポインタ１２をカメラ筺体部６内に配設する代わりに、直接ステージ８の中央に、ＬＥＤを十字形に埋設して撮像中心を照射するようにしてもよい。
【００２３】
その他、図３（ａ），（ｂ）に示すように液晶モニタ１３に代えて、ＣＲＴモニタ２１を一体型ボデー２に組み込んだり、水平姿勢のテレビカメラ１１を縦姿勢にしてレンズをステージ８に向け、ミラーを用いないで直接読み取り資料を撮像するようにしてもよい。
【図面の簡単な説明】
【図１】拡大読書器の斜視図である。
【図２】同、側面図である。
【図３】他の実施形態を示した説明図である。
【符号の説明】
１．．．拡大読書器
２．．．一体型ボデー
３．．．水平基台
４．．．背面壁
５，５．．．側壁
６．．．カメラ筺体部
７，７．．．パーティーション
８．．．ステージ
１０．．．ミラー
１１．．．テレビカメラ
１２．．．ＬＥＤポインタ
１３．．．液晶モニタ
１３ａ．．．画像表示面
１４．．．制御回路
１７．．．人体検知センサ
１８．．．赤外線センサ
１９．．．マーク
２０．．．赤外線リモートコントローラ
【図１】
0003560848.tif 000002
【図２】
0003560848.tif 000003
【図３】
0003560848.tif 000004